(57)【要約】【課題】凧本体を構成する主翼に僅かな仰角を付け、ヘリコプターの如く正回転させて、上昇推力を得ようとした回転凧では、予期に反して好適な挙動が得られない。    その理由は下方からの風力によって必然的に翼の回転方向が逆となり、翼が俯角になる結果、下降推力が発生するためである。    下方からの風力を活用して、下降推力の原因となる上記逆回転を停止させ、更に正回転方向に回転力を発生できれば、従来にないダイナミックな回転凧を提供できる。    回転方向を常に正回転に維持する方策を課題として提示する。【解決手段】上記回転凧の回転系内に、主翼の仰角より大きな俯角を有する補助翼を、翼面積比、動的バランスを考慮して配置する。【選択図】    図４
2006167417.tif 000002
【特許請求の範囲】
【請求項１】
中心部に軸受けを設け、、下端に凧糸を固定した軸を貫通させた、回転基台の回転系内に、主翼及び補助翼を設置し、当該回転系の正回転方向に対する主翼の仰角より大きな俯角を有する補助翼を設け、下方よりの風力で当該俯角を有する補助翼を駆動正回転し、これと機械的に連結する主翼の正回転方向仰角により、上昇推力を得る方式のヘリコプター状回転凧。
【発明の詳細な説明】
【技術分野】
【０００１】本発明は、従来の風力による翼の揚力に加え、同じ風力によって翼を回転させることにより更に上昇力を重畳させる方式のヘリコプター状回転翼を備えた回転凧に関するものである。
【背景技術】
【０００２】凧が空中を浮遊できるのは、凧本体に適当な風向の風を受けることによって揚力が発生するからである。凧揚げを実際に行ってみて気付く事は、地面に対する凧糸の角度に制限があることである。  凧糸と地面との角度が垂直に近くなるほど不安定になり、墜落の危険が増大することが挙げられる。    これは、凧が一時的に揚力不足を生じ失速したためであり、糸目の角度が操作中に変更できないので当然の帰結であるが、凧の一般的特性として、風による揚力のみを利用した場合、上記不具合は避け難い事である。
【発明の開示】
【発明が解決しようとする課題】
【０００３】本発明は、従来凧糸に対し固定されていた凧本体、或は凧の一部をヘリコプターの回転翼状に形成し、凧糸に連結した軸を中心に回転させて上昇推力を得る方式を導入し、従来方式の凧本体の受ける揚力と、上記回転翼による推力を加算して凧本体の上昇力を増加させ、更に安定な空中浮遊を図ろうとするものである。      このようにすると前述の如く、凧糸が地面に対し垂直近くになった場合でも、不安定にならない。      この方式の採用に際し、解決不可避の課題を以下に述べる。      図１は回転翼状回転凧の原形を示す斜面図である。    図１の凧は、回転軸中心に軸受け５を設けたベース３に、凧の本体として主翼ａ１と主翼ｂ２を動的バランスを考慮して対称に配置し、ストッパー６で脱落防止を図った軸４を上記軸受け５に挿入し、軸４下端に凧糸７を固定して構成されたものである。    この場合、主翼ａ１及び主翼ｂは、図１に示すように正回転方向に対し僅かな仰角αでベース３に取り付けられている。      この構成で軸４を下方から見て時計方向に正回転させると、主翼ａ１、主翼ｂ２に仰角αに起因する上昇推力が生じて、回転凧は丁度竹とんぼのように上昇して行く筈である。    しかし、実際にはこのようにならないのである。      理由は上記回転凧は、当然ながら、モーター等の動力源を持たないため、回転力の起源を風力エネルギーにしか求められないからである。    図２は主翼ａ１の断面を模式的に現した動作説明図である。      図２に於いて、主翼ａ１は軸４と正回転方向に対し、α度の仰角で取り付けられている。      この回転系で、軸４と平行にＦ１の大きさの風を受けた場合、風力Ｆ１は揚力Ｆ２と水平分力Ｆ３とに分解される。      揚力Ｆ２は凧の上昇力となるので好適であるが、問題は水平分力Ｆ３の存在である。      水平分力Ｆ３は、下方から見て軸４を中心に、主翼ａ１を反時計方向に逆回転させる力である。    反時計方向の逆回転方向では、主翼の取り付け角度が見掛け上俯角となるので回転主翼での上昇推力は得られず、反対に下降推力を発生してしまう事になる。結論として、図１の構成では回転凧の挙動が不安定となり、当初の目的を達成する事ができないのである。    本発明では、下降推力の原因となる上記水平方向分力を打ち消し、上昇推力を得られる方法の解決策を課題として提示するものである。
【課題を解決するための手段】
【０００４】前述の課題を解決するための手段として、本発明では回転凧に補助翼を設ける事を提唱する。    図３は図２の模式図に補助翼を設けた場合の動作説明図である。      補助翼ａ８は主翼ａ１の正回転方向後端部を角度βに折り曲げて構成されている。      但し、実際には当該補助翼の面積を、実験的に設定して最適値を求める事が必要がある。      図３に於いて図２と同一の風力Ｆ１を受けた時、Ｆ１は揚力Ｆ４と水平方向分力Ｆ５に分解される。      この場合の水平方向分力Ｆ５を図２の水平方向分力Ｆ３と比較してみると、方向反対でＦ５の方が遥かに大きい事がわかる。      この原因は  α＜βの関係によるものである。      Ｆ５−Ｆ３  の力は、軸４に対して主翼ａ１を下方から見て時計方向に正回転させる力である。    主翼ｂ２に付いても全く同様であり、主翼ａ１も主翼ｂ２も下方から見て時計方向に正回転すれば、仰角αによって上昇推力が発生する事になる。
【発明の効果】
【０００５】本発明の効果は、従来、風力による揚力のみに依存せざるを得なかった凧の挙動に、翼の回転による上昇推力を重畳させる事が可能になった点にあり、これによって前述「０００２」項記載の凧本来有する空中の不安定性を解消できた事である。    即ち、凧が地面に近く、凧糸の地上角が小さい時には、従来通り風による動で上昇し、凧が頂上付近に達し凧糸の地上角が垂直に近くなると、翼の回転による推力が働いて墜落を抑制し、双方の上昇力が補間し合って、安定な空中浮遊を得られるものである。本発明の凧には、従来の凧に必見される糸目が無く、この効果として、連凧の構成が容易であり、短い凧糸で互いの軸同士を連結するのみで良い。    最高地上高に於ける動作が安定する効果を利用して、小型カメラによる地上撮影等に応用の途がある。    この場合、連凧を構成して重量負担を分散する事もできる。      従来の凧が空中浮遊する姿は多分に静止絵的であり、それなりの良さは充分に認められるが、本発明の回転凧は、更に新しく動的効果を与えるものとして、凧揚げの世界に新機軸をもたらすものと期待される。
【発明を実施するための最良の形態】
【０００６】図４は実施例１を示す斜面図である。      図４は図１の回転凧を変形して補助翼を設けた構成であり、回転主翼１及び２の正回転方向後縁部を折り曲げて補助翼を形成し、上昇推力が得られる方向の回転力を発生させたものである。      この場合の補助翼は、構造上回転翼外周部に近い所に位置するので、回転モーメントを大きく採れる点で有利であり、比較的小面積の補助翼で目的を達成する事ができる。
【実施例】
【０００７】図５は実施例２を示す斜面図である。    この場合、補助翼は独立して設置されており、製作、組み立てを容易に行う事が出来る。    また補助翼が独立しているので、その調整が容易に行える利点があり、形状もコンパクトになる。
【図面の簡単な説明】
【０００８】
【図１】回転凧の原型を示す斜面図である。
【図２】翼の断面を模式的に現した原理説明図である。
【図３】補助翼の断面を模式的に現した原理説明図である。
【図４】実施例１を示す斜面図である。
【図５】実施例２を示す斜面図である。
【符号の説明】
【０００９】１：主翼ａ                ７：凧糸                  Ｆ１：下方からの風力。
２：主翼ｂ                ８：補助翼ａ              Ｆ２：主翼の揚力
３：ベース                ９：補助翼ｂ              Ｆ３：逆回転方向の水平分力
４：軸                  １０：主翼Ａ                Ｆ４：補助翼の揚力
５：軸受け              １１：主翼Ｂ                Ｆ５：正回転方向の水平分力
６：ストッパー          １２：補助翼Ａ                α：主翼の取り付け角
１３：補助翼Ｂ                β：補助翼の取り付け角
【図１】
2006167417.tif 000003
【図２】
2006167417.tif 000004
【図３】
2006167417.tif 000005
【図４】
2006167417.tif 000006
【図５】
2006167417.tif 000007